(57)【要約】      （修正有）【課題】表示部を大きくすることなく、操作を複雑にすることなく、ユーザの好みに応じたより多くの炊き方コースの選択を可能とする炊飯器等の電気機器を提供すること。【解決手段】使用者が、お米キー７ａを押した場合に、表示部８には、お米に関する複数の選択項目（白米、無洗米、発芽米、分つき米、玄米）のいくつかをリスト化したお米の選択リストが左側に、炊き方に関する複数の選択項目（エコ炊飯、ふつう、銘柄芳潤、おかゆ、炊込み）のいくつかをリスト化した炊き方の選択リストが右側に同時に表示される。【選択図】図４
2020130945.tif 000002
【特許請求の範囲】
【請求項１】
使用者が選択可能な項目を表示する表示部と、
前記表示部の記載に基づき、前記使用者が選択項目を選択できる入力手段と、
前記入力手段からの選択に基づき、前記表示部の表示を制御する制御手段と、を備え、
前記制御手段は、
前記使用者が選択可能な第１の選択項目を複数並べた第１のリストと、前記第１のリストの前記第１の選択項目の１つに対応し、前記使用者が選択可能な第２の選択項目を複数並べた第２のリストとを、前記表示部に表示させることを特徴とする電気機器。
【請求項２】
制御手段は、入力手段から入力された選択開始の信号に基づき、第１のリストと第２のリストとを表示部に表示させることを特徴とする請求項１に記載の電気機器。
【請求項３】
選択開始の信号に基づき表示される第１のリストと第２のリストは、前回の選択開始信号に基づきなされた使用者の選択により変化することを特徴とする請求項１に記載の電気機器。
【請求項４】
制御手段は、使用者が入力手段にて選択する第１の選択項目を変更した後、所定時間経過後に、前記第１の選択項目に対応し、前記使用者が選択可能な第２の選択項目を複数並べた第２のリストを表示部に表示させることを特徴とする請求項１から３のいずれかに記載の電気機器。
【請求項５】
制御手段は、使用者が入力手段にて選択する第１の選択項目を変更した後、第１の所定時間経過後に、前記第１の選択項目に対応し、前記使用者が選択可能な複数の第２の選択項目を、第２の所定時間間隔で順次表示させることを特徴とする請求項１から３のいずれかに記載の電気機器。
【請求項６】
制御手段は、前記第２のリストの第２の選択項目の１つに対応し、使用者が選択可能な第３の選択項目を複数並べた第３のリストを、前記表示部に表示させることを特徴とする請求項１から５のいずれかに記載の電気機器。
【請求項７】
炊飯器本体と、
前記炊飯器本体の上方を覆う蓋体と、
前記炊飯器本体に収容され米と水とを含む被炊飯物が収容される内釜と、
前記炊飯器本体に備えられた前記内釜を加熱する加熱部と、を備え、
第１の選択項目はお米の種類であり、第２の選択項目は炊き方であることを特徴とする請求項１から６のいずれかに記載の電気機器。
【請求項８】
炊飯器本体と、
前記炊飯器本体の上方を覆う蓋体と、
前記炊飯器本体に収容され米と水とを含む被炊飯物が収容される内釜と、
前記炊飯器本体に備えられた前記内釜を加熱する加熱部と、を備え、
第１の選択項目は炊き方であり、第２の選択項目は銘柄であることを特徴とする請求項１から６のいずれかに記載の電気機器。
【請求項９】
炊飯器本体と、
前記炊飯器本体の上方を覆う蓋体と、
前記炊飯器本体に収容され米と水とを含む被炊飯物が収容される内釜と、
前記炊飯器本体に備えられた前記内釜を加熱する加熱部と、を備え、
第１の選択項目はお米の種類であり、第２の選択項目は炊き方であり、第３の選択項目は硬さであることを特徴とする請求項６に記載の電気機器。
【請求項１０】
炊飯器本体と、
前記炊飯器本体の上方を覆う蓋体と、
前記炊飯器本体に収容され米と水とを含む被炊飯物が収容される内釜と、
前記炊飯器本体に備えられた前記内釜を加熱する加熱部と、を備え、
第１の選択項目はお米の種類であり、第２の選択項目は炊き方であり、第３の選択項目は銘柄であることを特徴とする請求項６に記載の電気機器。
【発明の詳細な説明】
【技術分野】
【０００１】
本発明は、炊飯器等、使用者が表示を見ながら、動作を設定、変更できる入力手段を備えた電気機器に関するものである。
【背景技術】
【０００２】
米の種別や、ユーザの好みに応じた炊き方が可能となる炊飯器は従来から存在している。そのような炊飯器では、ユーザが、炊飯器の上面に設置された操作キーで、表示画面を見ながら設定を行うのが一般的である。
【０００３】
特許文献１の炊飯器では、表示手段５１の右側部に、白米・炊き込みコース、かためコース、・・・等の白米の炊き方の選択肢を表示する第１の炊飯コース表示部８１、下辺部に、玄米コース、三分づきコース・・・・等の玄米の炊き方の選択肢を表示する第２の炊飯コース表示部８２、左側部に、中華がゆコース、おかゆコース、・・・等の炊き方の選択肢を表示する第３の炊飯コース表示部８３を配置し、メニュースイッチ６３を押すことで第１の炊飯コース表示部８１の炊き方を選択でき、玄米分づきスイッチ６７を押すことで、第２の炊飯コース表示部８２の炊き方を選択でき、健康スイッチ６７を押すことで、第３の炊飯コース表示部８３の炊き方を選択できるようになっている。
【先行技術文献】
【特許文献】
【０００４】
【特許文献１】特開２００２−２０２４９９号公報
【発明の概要】
【発明が解決しようとする課題】
【０００５】
しかし、上述の炊飯器では、米の種別と炊き方の組み合わせとなる固定したコース表示をそれぞれに記載しなければならず、また、コースを選択するためのスイッチも、個別に複数設けなければならず、表示部が大きくなるとともに、操作も複雑になるという課題があった。特に、多様化したユーザの炊き方等の好みに対応し、細かいコース設定を設けるには限界があった。
【０００６】
本発明は、上述の課題を解決するためになされたものであり、表示部を大きくすることなく、操作を複雑にすることなく、ユーザの好みに応じたより多くの炊き方コースの選択を可能とする炊飯器等の電気機器を提供することを目的とする。
【課題を解決するための手段】
【０００７】
本発明の電気機器は、使用者が選択可能な項目を表示する表示部と、表示部の記載に基づき、使用者が選択項目を選択できる入力手段と、入力手段からの選択に基づき、表示部の表示を制御する制御手段と、を備え、制御手段は、使用者が選択可能な第１の選択項目を複数並べた第１のリストと、第１のリストの前記第１の選択項目の１つに対応し、使用者が選択可能な第２の選択項目を複数並べた第２のリストとを、表示部に表示させるものである。
【発明の効果】
【０００８】
本発明の電気機器によれば、豊富なメニューを搭載するとともに、使用者が設定可能な項目が変化したことを認識し、一覧性をもった表示によって意図した設定が選択しやすくなるといった効果がある。
【図面の簡単な説明】
【０００９】
【図１】実施の形態１に係る炊飯器を示す斜視図である。
【図２】図１の炊飯器の断面図である。
【図３】図１の炊飯器の制御部の概略構成を示すブロック図である。
【図４】図１の炊飯器の操作部及び表示部の概略模式図である。
【図５】実施の形態１に係る炊飯条件を設定する際の表示遷移模式図である。
【図６】実施の形態１に係る炊飯条件を設定する際の表示遷移模式図である。
【図７】実施の形態２に係る炊飯条件を設定する際の表示遷移模式図である。
【図８】実施の形態３に係る炊飯条件を設定する際の表示遷移模式図である。
【図９】実施の形態４に係る炊飯条件を設定する際の表示遷移模式図である。
【図１０】実施の形態５に係る炊飯条件を設定する際の表示遷移模式図である。
【図１１】実施の形態６に係る炊飯条件を設定する際の表示遷移模式図である。
【図１２】実施の形態６に係る炊飯条件を設定する際の表示遷移模式図である。
【図１３】実施の形態７に係る炊飯条件を設定する際の表示遷移模式図である。
【図１４】実施の形態８に係る炊飯条件を設定する際の表示遷移模式図である。
【発明を実施するための形態】
【００１０】
実施の形態１．
図１は、実施の形態１に係る炊飯器１を示す斜視図であり、図２は、実施の形態１に係る炊飯器１を示す断面図である。
図１及び図２に示すように、炊飯器１は、例えば電磁誘導加熱式調理器であり、本体２と、蓋体３と、加熱手段４と、内釜５とを有している。本体２は、上面が開口２１となっている有底円筒状をなしており、内部に中空部２２が形成されている。蓋体３は、本体２の上面に開閉自在に取り付けられ、本体２の開口２１を塞ぐ。加熱手段４は、本体２の中空部２２の底面に設けられており、内釜５の底面に沿う形状をなしている。加熱手段４は、例えば加熱コイルであり、内釜５に渦電流を誘起して内釜５を加熱する。なお、加熱手段４は、平坦であってもよい。
【００１１】
図３は、炊飯器１の制御部の概略構成を示すブロック図である。図４は、蓋体３の上面部（本体とは反対の面）に形成された操作手段及び表示部の概略模式図である。
蓋体の上面部には、お米キー７ａ、メニューキー７ｂ、銘柄芳潤キー７ｃ、音声キー７ｄ、予約キー７ｅ、設定キー７ｆ、切・保温キー７ｇ、操作キー７ｈ、炊飯キー７ｉからなる入力手段７と、液晶やＬＥＤ等からなる表示部８とが配置されている。
【００１２】
また、入力手段７と表示部８とは、制御手段６に接続されている。制御手段６は、入力手段７から入力された信号に基づき、表示部８の表示を制御したり、加熱手段４を制御する。例えば、使用者が入力手段７を用いて、お米の種類や炊き方を設定した場合には、対応する信号が制御手段６に送られ、制御手段６が、対応する炊飯ができるように加熱手段４の電力量などの制御をする。
【００１３】
次に、入力手段７を用いて、炊飯条件を選択するときの入力手段７及び表示部８の動作の具体例について説明する。
図５は、炊飯条件を設定する際の表示遷移模式図である。なお、最初に、電源をオンにした時点では、表示部８には、デジタルでの時計が表示されている。
【００１４】
図５において、使用者が、お米キー７ａを押した場合に、表示部８には、お米に関する複数の選択項目（白米、無洗米、発芽米、分つき米、玄米）のいくつかをリスト化したお米の選択リストが左側に、炊き方に関する複数の選択項目（エコ炊飯、ふつう、銘柄芳潤、おかゆ、炊込み）のいくつかをリスト化した炊き方の選択リストが右側に同時に表示される（Ｓ００１）。最初は、お米の選択リストにて、「白米」が初期状態として選択するものとして設定されており、中央部に白黒反転して表示され、その下に「無洗米」、上に「玄米」が表示されている。また、炊き方の選択リストは、「白米」で選択可能な炊き方のメニューである、「エコ炊飯」、「ふつう」、「銘柄芳潤」が、表示され、このうち「ふつう」が初期状態として設定されており、中央部に表示され、その下に「銘柄芳潤」、上に「エコ炊飯」が表示されている。
【００１５】
なお、ここでは、お米の選択リスト、及び炊き方の選択リストとしてそれぞれ３つの項目を表示部８に表示しているが、表示する項目数はこれに限定されない。
【００１６】
Ｓ００１の表示状態にて、操作キー７ｈの下側の「↓」部が押されると、お米の選択リストの表示がスクロールして、「白米」の下側にある、次の項目である「無洗米」が中央部に移動するとともに白黒反転して表示され、選択するものとして設定される。同時に、「白米」で選択可能な炊き方の選択リストは消去される。（Ｓ００２）
【００１７】
炊き方の選択リストが消去されてから所定時間、例えば１００ｍｓｅｃ経過すると、「無洗米」で選択可能な炊き方の選択リストが表示され、初期状態として「ふつう」が中央部に表示される。（Ｓ００３）
【００１８】
更に、操作キー７ｈの下側の「↓」部が押されると、お米の選択リストの表示がスクロールして、「無洗米」の下側にある、次の項目である「発芽米」が中央部に移動するとともに白黒反転して表示され、選択するものとして設定される。同時に、「無洗米」での炊き方の選択リストが消去される（Ｓ００４）。
その後、１００ｍｓｅｃ経過すると、「発芽米」で選択可能な炊き方の選択リストが表示され、初期状態として「ふつう」が中央部に表示される。（Ｓ００５）
【００１９】
更に、操作キー７ｈの下側の「↓」部が押されると、お米の選択リストの表示がスクロールして、「発芽米」の下側にある、次の項目である「分づき米」が中央部に移動するとともに白黒反転して表示され、選択するものとして設定される。同時に、「発芽米」で選択可能な炊き方の選択リストが消去される（Ｓ００６）。
その後、１００ｍｓｅｃ経過すると、「分づき米」での選択可能な炊き方の選択リストが表示され、初期状態として「ふつう」が中央部に表示される。（Ｓ００７）
【００２０】
更に、操作キー７ｈの下側の「↓」部が押されると、お米の選択リストの表示がスクロールして、「分づき米」の下側にある、次の項目である「玄米」が中央部に移動するとともに白黒反転して表示され、選択するものとして設定される。同時に、「分づき米」で選択可能な炊き方の選択リストが消去される（Ｓ００８）。
その後、１００ｍｓｅｃ経過すると、「玄米」で選択可能な炊き方の選択リストが表示され、初期状態として「ふつう」が中央部に表示される。（Ｓ００９）
【００２１】
更に、操作キー７ｈの下側の「↓」部が押されると、お米の選択リストの表示がスクロールして、「玄米」の下側にある次の項目である「白米」が中央部に移動するとともに白黒反転して表示され、選択するものとして設定される。同時に、「玄米」で選択可能な炊き方の選択リストを消去する（Ｓ０１０）。その後、１００ｍｓｅｃ経過すると、「白米」で選択可能な炊き方の選択リストを表示し、Ｓ００１の状態に戻る。
なお、ここでは、操作キー７ｈの下側の「↓」部によって表示のスクロールについて説明したが、操作キー７ａの「お米」によってお米を、操作キー７ｂの「メニュー」によって炊き方を、同様にスクロールしたり、操作キー７ｈの上側の「↑」部によって逆方法へのスクロールも可能である。また、操作キーによるスクロール方向は説明と逆方向にスクロールする操作でも問題ない。
【００２２】
図６は、具体的に、炊飯を設定し、炊飯を開始するまでの操作を示す表示遷移模式図であり、お米が「発芽米」、炊き方が「芳潤炊き」を設定して行う場合を例示したものである。
まず、Ｓ００１〜Ｓ００５を実施することで、表示部８の左側には、お米の選択リストとして「発芽米」が中央部に白黒反転して表示され、選択するものとして設定され、右側には、炊き方の選択リストとして、初期状態として「ふつう」が中央部に表示される。
【００２３】
この状態で、操作キー７ｈの右側の「→」部が押されると、お米の選択リストの「発芽米」が通常の表示に戻り、炊き方の選択リストの「ふつう」が白黒反転して表示され、選択するものとして設定される（Ｓ０１１）。
【００２４】
この状態で、操作キー７ｈの下側の「↓」部が押されると、炊き方の選択リストの表示がスクロールして、「ふつう」の下側にある、次の項目である「芳潤炊き」が中央部に移動するとともに白黒反転して表示され、選択するものとして設定される（Ｓ０１２）。
この状態で、使用者が炊飯キー７ｉを押すと、「発芽米、芳潤炊き」を使用者が選択したものと決定され、表示部８の上部に図６の操作で設定された「発芽米  芳潤炊き」が表示されるとともに、「炊飯をはじめます」と表示し、使用者に炊飯開始を知らせる（Ｓ０１３）。
お米の選択リストと炊き方の選択リストの選択は、操作キー７ｈの「←」「→」によって変更可能だが、お米選択中に操作キー７ｂの「メニュー」を押すことで炊き方の選択に、炊き方選択中に操作キー７ａの「お米」を押すことでお米の選択に変更してもよい。
【００２５】
このような炊飯器では、表示部８に、お米の選択リストと、そのお米で対応できる炊き方の選択リストが同時に表示され、お米の選択リストで選択するお米の種類を変える毎に、そのお米で対応できる炊き方の選択リストも、選択したお米に対応するように自動的に変わるので、表示部を大きくすることなく炊飯器に豊富なメニューを搭載することができる。
また、操作キー７ｈという一つのキーでお米の種類と炊き方を選択できるので、操作も複雑になる事がない。
さらに、お米の設定が変更されるたびに、所定時間の間、炊き方の選択リストが消去された状態にしたので、使用者がお米の設定を変更したことで、選択可能な炊き方の選択リストが更新されていることを容易に理解することができる。
【００２６】
実施の形態２．
使用者は、同じ米を使用し、同じ炊飯を行う場合が多い。しかし、図５のように、初期設定の「白米」から操作キー７ｈで表示を変更し、目的とする炊き方に設定するのはわずらわしい場合もある。
そこで、実施の形態２では、一度炊飯を行うと、その設定を制御手段９が記憶し、次に設定する場合には、それを初期状態として最初に表示するようにした。
【００２７】
図７は、炊飯を設定し、炊飯を開始するまでの操作を示す表示遷移模式図である。
まず、前回、使用者が炊飯を実施した場合には、その設定を制御手段９が記憶しており、表示部８にはデジタル時間が表示されると共に、その上部に前回の炊飯での設定、ここでは「発芽米」と「芳潤炊き」が表示されている（Ｓ０２０）。
この状態で、使用者が、お米キー７ａを押した場合に、表示部８には、お米の選択リストのうち、「発芽米」が初期状態として選択するものとして設定されて、中央部に白黒反転して表示され、その下に「分づき米」、上に「無洗米」が表示される。また、炊き方の選択リストは、「発芽米」で選択可能なメニューである、「ふつう」、「芳潤米炊き」、「炊込み」が、表示され、このうち「芳潤炊き」が初期状態として設定されており、中央部に表示され、その下に「炊込み」、上に「ふつう」が表示される（Ｓ０２１）。
【００２８】
なお、Ｓ０２１、又は、Ｓ０２２から設定を変える場合には、図５に記載したように、操作キー７ｈの「↓」などを押すことで可能である。
このように、前回の炊飯状態を記憶し、次に、それを初期状態で表示することで、使用者の操作の手間を省くことができる。
【００２９】
実施の形態３．
図８は、実施の形態３に係る炊飯条件を設定する際の表示遷移模式図である。
なお、ここではお米の選択リストのうち、「白米」から「無洗米」に変更した際に限定して説明する。
【００３０】
図８において、使用者が、お米キー７ａを押した場合に、図５と同様に、表示部８には、お米の選択リストが左側に、炊き方の選択リストが右側に同時に表示される（Ｓ００１）。
【００３１】
Ｓ００１の表示状態において、操作キー７ｈの下側の「↓」部が押されると、お米の選択リストの表示がスクロールして、「白米」の下側にある、次の項目である「無洗米」が中央部に移動するとともに白黒反転して表示され、選択するものとして設定される。同時に、「白米」で選択可能な炊き方の選択リストは消去される（Ｓ００２）。
【００３２】
その後、１００ｍｓｅｃ経過すると、「無洗米」によって選択可能な炊き方の選択リストから、表示手段８に表示させるメニュー項目の一つ「エコ炊飯」を上部に表示させる（Ｓ０３１）。
【００３３】
その後、「エコ炊飯」が表示されてから１００ｍｓｅｃ経過すると、２つ目のメニュー項目「ふつう」が、「エコ炊飯」の下に表示させる（Ｓ０３２）。さらに、１００ｍｓｅｃ経過すると３つ目のメニュー項目「銘柄芳潤」が、「ふつう」の下に表示させる（Ｓ０３３）。
【００３４】
このように、炊き方の選択リストから表示させるメニュー項目が１つずつ順に表示されることで、設定を変更したお米で選択可能な炊き方の選択リストが１つずつ視認され、選択可能な炊き方の選択リストが更新されていることを容易に理解することができ、一覧性をもった表示によって意図した設定が選択しやすくなる。
【００３５】
実施の形態４．
図９は、実施の形態４に係る炊飯条件を設定する際の表示遷移模式図である。
表示部８には設定可能な炊飯条件として、お米の選択リストと、お米の選択リストで設定されているお米で選択可能な炊き方の選択リストと、炊き方の選択リストで設定されている炊き方で選択可能な硬さの選択リストが同時に表示されている。
なお、ここでは、お米の選択リストのうち、「白米」から「無洗米」に変更した際に限定して説明する。
【００３６】
図９において、使用者が、お米キー７ａを押した場合に、表示部８には、お米の選択リストが左側に、炊き方の選択リストが中央に、炊き方の選択リストに対応した硬さ選択リストが右側に同時に表示される（Ｓ０４１）。最初は、お米の選択リストのうち、「白米」が初期状態として選択するものとして設定されており、中央部に白黒反転して表示され、その下に「無洗米」、上に「玄米」が表示されている。また、炊き方の選択リストは、「白米」で選択可能なメニューである、「エコ炊飯」、「ふつう」、「銘柄芳潤」が、表示され、このうち「ふつう」が初期状態として設定されており、中央部に表示され、その下に「銘柄芳潤」、上に「エコ炊飯」が表示されている。さらに、硬さの選択リストは、炊き方の選択リストが「ふつう」で選択可能なメニューである、「かため」、「ふつう」、「やわらかめ」が、表示され、このうち「ふつう」が初期状態として設定されており、中央部に表示され、その下に「やわらかめ」、上に「かため」が表示されている。
【００３７】
Ｓ０４１の表示状態おいて、操作キー７ｈの下側の「↓」部が押されると、お米の選択リストの表示がスクロールして、「白米」の下側にある、次の項目である「無洗米」が中央部に移動するとともに白黒反転して表示され、選択するものとして設定される。同時に、「白米」で選択可能な炊き方の選択リスト、及び、硬さの選択リストは消去される。（Ｓ０４２）
【００３８】
その後、１００ｍｓｅｃ経過すると、「無洗米」で選択可能な炊き方の選択リストが表示され、初期状態として「ふつう」が中央部に表示される（Ｓ０４３）。
さらに、１００ｍｓｅｃ経過すると、炊き方の選択リスト「ふつう」で選択可能な硬さの選択リストが表示され、初期状態として「ふつう」が中央部に表示される（Ｓ０４４）。
なお、その後の操作は、図５、６と同様であり、操作キー７ｈの「↓」部や「→」部を押すことで、好みの設定を選択し、最後に、使用者が炊飯キー７ｉを押すとことで、選択が決定され、炊飯が開始される。
【００３９】
このように、お米の設定項目によって選択可能な炊き方の選択リストが表示され、炊き方の選択リストの設定項目によって選択可能な硬さの選択リストが順次表示される構成となる。これにより、選択可能なリストを順番に確認することが可能となり選択可能な選択リストが更新されていることが容易に理解することができ、一覧性をもった表示によって意図した設定が選択しやすくなる。
【００４０】
実施の形態５．
図１０は、実施の形態５に係る炊飯条件を設定する際の表示遷移模式図であり、図５の表示遷移模式図において、「銘柄芳潤」を追加したものである。
【００４１】
Ｓ００１の表示状態にて、操作キー７ｈの下側の「↓」部が押されると、お米の選択リストの表示がスクロールして、「白米」の下側にある、次の項目である「無洗米」が中央部に移動するとともに白黒反転して表示され、選択するものとして設定される。同時に、「白米」で選択可能な炊き方の選択リストは消去される。また、「無洗米」の下側には、「銘柄芳潤白米」が表示される（Ｓ０５１）。
【００４２】
炊き方の選択リストが消去されてから所定時間、例えば１００ｍｓｅｃ経過すると、「無洗米」で選択可能な炊き方の選択リストが表示され、初期状態として「ふつう」が中央部に表示される。（Ｓ０５２）
【００４３】
更に、操作キー７ｈの下側の「↓」部が押されると、お米の選択リストの表示がスクロールして、「無洗米」の下側にある、次の項目である「銘柄芳潤白米」が中央部に移動するとともに白黒反転して表示され、選択するものとして設定される。同時に、「無洗米」での炊き方の選択リストが消去される（Ｓ０５３）。なお、「銘柄芳潤白米」の下側には、「銘柄芳潤無洗米」が表示される。
【００４４】
その後、１００ｍｓｅｃ経過すると、「銘柄芳潤白米」で選択可能な銘柄の選択リストとして、「あいちのかおり」、「あきさかり」、「あきたこまち」が表示され、初期状態として「あきさかり」が中央部に表示される（Ｓ０５４）。
【００４５】
更に、操作キー７ｈの下側の「↓」部が押されると、お米の選択リストの表示がスクロールして、「銘柄芳潤白米」の下側にある、次の項目である「銘柄芳潤無洗米」が中央部に移動するとともに白黒反転して表示され、選択するものとして設定される。同時に、「銘柄芳潤白米」で選択可能な銘柄の選択リストが消去される（Ｓ０５５）。
その後、１００ｍｓｅｃ経過すると、「銘柄芳潤無洗米」での選択可能な銘柄の選択リストとして、「あいちのかおり」、「あきさかり」、「あきたこまち」が表示され、初期状態として「あきさかり」が中央部に表示される（Ｓ０５６）。
その後の操作、Ｓ０５７〜Ｓ０６４は、図５のＳ００４〜Ｓ０１０と同様である。
このように、炊飯リストとして、「銘柄芳潤」や銘柄リストが追加されることで、使用者による炊飯の選択幅が広がることになる。
【００４６】
実施の形態６．
図１１、図１２は、実施の形態６に係る炊飯条件を設定する際の表示遷移模式図であり、図９の右側、中央、左側の三段表示を右側、左側の二段表示で選択可能にしたものである。
まず、図１１で、Ｓ００１〜Ｓ００３を実施することで、表示部８の左側には、お米の選択リストとして「無洗米」が中央部に白黒反転して表示され、選択するものとして設定され、右側には、炊き方の選択リストとして、初期状態として「ふつう」が中央部に表示される。
【００４７】
この状態で、操作キー７ｈの右側の「→」部が押されると、お米の選択リストの「無洗米」が通常の表示に戻り、炊き方の選択リストの「ふつう」が白黒反転して表示され、選択するものとして設定される（Ｓ０７１）。
【００４８】
この状態で、操作キー７ｈの下側の「↓」部が押されると、炊き方の選択リストの表示がスクロールして、「ふつう」の下側にある、次の項目である「銘柄芳潤」が中央部に移動するとともに白黒反転して表示され、選択するものとして設定される（Ｓ０７２）。
【００４９】
この状態で、操作キー７ｈの右側の「→」部が押されると、お米の選択リストの「無洗米」の表示が消え、炊き方の選択リストが左側に移行する（Ｓ０７３）。
その後、１００ｍｓｅｃ経過すると、「銘柄芳潤」で選択可能な銘柄の選択リストとして、「あいちのかおり」、「あきさかり」、「あきたこまち」が表示され、初期状態として「あきさかり」が白黒反転して表示され、選択するものとして設定される（Ｓ００７４）。
【００５０】
図１２では、Ｓ００１〜Ｓ００３を実施することで、表示部８の左側には、お米の選択リストとして「無洗米」が中央部に白黒反転して表示され、選択するものとして設定され、右側には、炊き方の選択リストとして、初期状態として「ふつう」が中央部に表示される。
【００５１】
この状態で、操作キー７ｈの右側の「→」部が押されると、お米の選択リストの「無洗米」が通常の表示に戻り、炊き方の選択リストの「ふつう」が白黒反転して表示され、選択するものとして設定される（Ｓ０７１）。
【００５２】
この状態で、操作キー７ｈの右側の「→」部が押されると、お米の選択リストの表示が消え、炊き方の選択リストが左側に移行する（Ｓ０８１）。
その後、１００ｍｓｅｃ経過すると、「ふつう」で選択可能な硬さの選択リストとして、「かため」、「ふつう」、「やわらか」が表示され、初期状態として「ふつう」が白黒反転して表示され、選択するものとして設定される（Ｓ００８２）。
【００５３】
このようにすることで、三段ではなく二段の表示で細かい選択ができるようになり、また、表示も大きくできるので、使用者は見やすくなり、利便性が向上する。
【００５４】
実施の形態７．
図１３は、実施の形態７に係る炊飯条件を設定する際の表示遷移模式図であり、実施の形態６とは別のやり方で、図９の三段表示を二段表示で選択可能にしたものである。
最初に、電源をオンにした時点では、表示部８には、デジタルでの時計が表示されており、使用者が、お米キー７ａを押した場合に、まず、表示部８には、お米に関する複数の選択項目（白米、無洗米、発芽米、分つき米、玄米）のいくつかをリスト化したお米の選択リストが中央に表示される。ここでは、お米の選択リストにて、「白米」が初期状態として選択するものとして設定されており、中央部に白黒反転して表示され、その下に「無洗米」、上に「玄米」が表示されている（Ｓ０９１）。
【００５５】
Ｓ０９１の表示状態にて、操作キー７ｈの下側の「↓」部が押されると、お米の選択リストの表示がスクロールして、「白米」の下側にある、次の項目である「無洗米」が中央部に移動するとともに白黒反転して表示され、選択するものとして設定される（Ｓ０９２）。  この表示状態にて、メニューキー７ｂが押されると、お米の選択リストが消え、炊き方の選択リストである、「エコ炊飯」、「ふつう」、「銘柄芳潤」が左側に表示され、「ふつう」が選択されるものとして白黒反転されるとともに、炊き方の選択リストが「ふつう」で選択可能な硬さの選択リストである「かため」、「ふつう」、「やわらか」が、右側に表示される（Ｓ０９３）。
【００５６】
この状態で、操作キー７ｈの下側の「↓」部が押されると、炊き方選択リストの表示がスクロールして、「ふつう」の下側にある、次の項目である「銘柄芳潤」が中央部に移動するとともに白黒反転して表示され、選択するものとして設定される。同時に、「ふつう」で選択可能な硬さの選択リストが消去される（Ｓ０９４）。
その後、１００ｍｓｅｃ経過すると、「銘柄芳潤」での選択可能な銘柄の選択リストが表示され、「あいちのかおり」、「あきさかり」、「あきたこまち」が表示され、初期状態として「あきさかり」が中央部に表示される（Ｓ００９５）。
【００５７】
このようにしても、二段の表示で細かい選択ができるようになり、利便性が向上する。
【００５８】
実施の形態８．
図１４は、実施の形態８に係る炊飯条件を設定する際の表示遷移模式図であり、図９の表示遷移模式図に銘柄芳潤の表示を追加したものである。
Ｓ０４１〜Ｓ０４４の後に、操作キー７ｈの右側の「→」部が押されると、お米の選択リストの「無洗米」が通常の表示に戻り、炊き方の選択リストの「ふつう」が白黒反転して表示され、選択するものとして設定される（Ｓ１０１）。
【００５９】
この状態で、操作キー７ｈの下側の「↓」部が押されると、炊き方の選択リストの表示がスクロールして、「ふつう」の下側にある、次の項目である「銘柄芳潤」が中央部に移動するとともに白黒反転して表示され、選択するものとして設定されるとともに、同時に、「ふつう」で選択可能な硬さの選択リストは消去される（Ｓ１０２）。さらに、１００ｍｓｅｃ経過すると、炊き方の選択リスト「銘柄芳潤」で選択可能な銘柄の選択リストとして、「あいちのかおり」、「あきさかり」、「あきたこまち」が表示される（Ｓ１０３）。
【００６０】
このようにすることで、三段表示において、銘柄も選択可能とすることができる。
【符号の説明】
【００６１】
１  炊飯器、２  本体、３  蓋体、４  加熱手段、５  内釜、７  入力手段、７ａ  お米キー、７ｂ  メニューキー、７ｃ  銘柄芳潤キー、７ｄ  音声キー、７ｅ  予約キー、７ｆ  設定キー、７ｇ  切・保温キー、７ｈ  操作キー、７ｉ  炊飯キー、８  表示部、９  制御手段、２１  開口、２２  中空部
【図１】
2020130945.tif 000003
【図２】
2020130945.tif 000004
【図３】
2020130945.tif 000005
【図４】
2020130945.tif 000006
【図５】
2020130945.tif 000007
【図６】
2020130945.tif 000008
【図７】
2020130945.tif 000009
【図８】
2020130945.tif 000010
【図９】
2020130945.tif 000011
【図１０】
2020130945.tif 000012
【図１１】
2020130945.tif 000013
【図１２】
2020130945.tif 000014
【図１３】
2020130945.tif 000015
【図１４】
2020130945.tif 000016